(57)【要約】      （修正有）【課題】電源供給装置の主電源出力端及び待機電源出力端が出力する電力を検出する電力フィードバック装置を提供する。【解決手段】電力フィードバック装置３２は、電源供給装置３０に電気的に接続される。電力フィードバック装置３２は、定電圧補償モジュール３２０、補償及び制限モジュール３２２、適応性電流重み付けモジュール３２４及びコントローラ３３２を含む。定電圧補償モジュールは、主電源出力端Ｖｏ１に電気的に接続される。補償及び制限モジュール３２２は、待機電源出力端Ｖｏ２、定電圧補償モジュール及び電源変換システムＰＳに電気的に接続される。適応性電流重み付けモジュール３２４は、待機電源出力端Ｖｏ２、定電圧補償モジュール３２０及び電源変換システムＰＳに電気的に接続される。コントローラ３３２は、定電圧補償モジュール３２０及び電源供給装置３０に電気的に接続される。【選択図】図２
0003191617.tif 000002
【実用新案登録請求の範囲】
【請求項１】
電源供給装置に電気的に接続される電力フィードバック装置であって、
前記電源供給装置は、電源供給モジュール、第１の誘導抵抗、第２の誘導抵抗、主電源出力端及び待機電源出力端を有し、前記主電源出力端及び前記待機電源出力端は、電源変換システムに電気的に接続され、前記電源供給モジュールは、第１の電源出力端及び第２の電源出力端を有し、前記第１の誘導抵抗は、前記第１の電源出力端及び前記主電源出力端に電気的に接続され、前記第２の誘導抵抗は、前記第２の電源出力端及び前記待機電源出力端に電気的に接続され、
前記電力フィードバック装置は、
前記主電源出力端に電気的に接続される定電圧補償モジュールと、
前記待機電源出力端、前記定電圧補償モジュール及び前記電源変換システムに電気的に接続される補償及び制限モジュールと、
前記待機電源出力端、前記第２の電源出力端、前記定電圧補償モジュール及び前記電源変換システムに電気的に接続される適応性電流重み付けモジュールと、
前記定電圧補償モジュール及び前記電源供給装置に電気的に接続されるコントローラと、を備えることを特徴とする電力フィードバック装置。
【請求項２】
前記定電圧補償モジュールと前記コントローラとの間に設けられ、信号発信端が前記定電圧補償モジュールに電気的に接続され、信号受信端が前記コントローラに電気的に接続される第１の分離ユニットを更に備えることを特徴とする請求項１に記載の電力フィードバック装置。
【請求項３】
前記補償及び制限モジュールは、
前記待機電源出力端に電気的に接続される第１のコンパレータと、
前記第１のコンパレータに電気的に接続される定電圧重み付けユニットと、
前記定電圧補償モジュール、前記定電圧重み付けユニット及び前記電源変換システムに電気的に接続されるスイッチ素子と、を有することを特徴とする請求項２に記載の電力フィードバック装置。
【請求項４】
前記適応性電流重み付けモジュールは、
前記待機電源出力端及び前記第２の電源出力端に電気的に接続される増幅器と、
前記第１のコンパレータ及び前記電源変換システムに電気的に接続される切換素子と、
前記スイッチ素子及び前記定電圧補償モジュールに電気的に接続されるインバータと、を有することを特徴とする請求項３に記載の電力フィードバック装置。
【請求項５】
前記待機電源出力端及び前記コントローラに電気的に接続される待機電源検出モジュールを更に備えることを特徴とする請求項４に記載の電力フィードバック装置。
【請求項６】
前記待機電源検出モジュールは、
前記待機電源出力端に電気的に接続される第２のコンパレータと、
前記第２のコンパレータ、前記コントローラ及び前記電源変換システムに電気的に接続される起動素子と、を有することを特徴とする請求項５に記載の電力フィードバック装置。
【請求項７】
前記待機電源検出モジュールと前記コントローラとの間に設けられ、信号発信端が前記待機電源検出モジュールの前記起動素子に電気的に接続され、信号受信端が前記コントローラに電気的に接続される第２の分離ユニットを更に備えることを特徴とする請求項６に記載の電力フィードバック装置。
【請求項８】
前記第２の分離ユニットと前記コントローラとの間に設けられる上、前記第２の分離ユニットの前記信号受信端及び前記コントローラに電気的に接続されるインバータ素子を更に備えることを特徴とする請求項７に記載の電力フィードバック装置。
【考案の詳細な説明】
【技術分野】
【０００１】
本考案は、電源供給システムに関し、特に、主電源及び待機電源が出力する電力をフィードバックする電源供給システムに関する。
【背景技術】
【０００２】
図１を参照する。図１は、従来の電源供給システムを示す回路図である。図１の従来の電源供給システム１は、電源供給装置１０及び電力フィードバック制御モジュール１２を含む。電源供給装置１０は、主電源出力端Ｖｏ１及び待機電源出力端Ｖｏ２を含む。電力フィードバック制御モジュール１２は、主電源出力端Ｖｏ１に電気的に接続される。主電源出力端Ｖｏ１及び待機電源出力端Ｖｏ２は、電源変換システムＰＳに電気的に接続され、電源変換システムＰＳが起動する際に必要とする電力及び待機状態の際に必要とする電力を供給する。電源変換システムＰＳが作動状態の場合、電源供給装置１０の主電源出力端Ｖｏ１が電源変換システムＰＳに作動時に必要とする電力を供給する（例えば、直流電源１２Ｖ）。電源変換システムＰＳが待機状態の場合、電源供給装置１０の待機電源出力端Ｖｏ２が電源変換システムＰＳに待機操作時に必要とする電力を供給する。これにより、節電効果が実現される。
【０００３】
電力フィードバック制御モジュール１２は、コントローラ１２０、分離ユニット１２２及び電圧補償ユニット１２４を含む。電圧補償ユニット１２４は、主電源出力端Ｖｏ１に電気的に接続される。分離ユニット１２２は、電圧補償ユニット１２４及びコントローラ１２０に電気的に接続される。コントローラ１２０は、電源供給装置１０に電気的に接続される。
【０００４】
電力フィードバック制御モジュール１２の電圧補償ユニット１２４は、主電源出力端Ｖｏ１が出力する電力を検出するために用いられ、主電源出力端Ｖｏ１が出力する電圧が所定の電圧値より低い場合、分離ユニット１２２に信号を出力し、コントローラ１２０が前述の信号に基づき、電源供給装置１０を制御して主電源出力端Ｖｏ１が出力する電力を高める。
【０００５】
電力フィードバック制御モジュール１２は、主に、主電源出力端Ｖｏ１が出力する電力の電圧値を検出するために用いられ、電圧値が所定の電圧値より高い場合又は低い場合、コントローラ１２０によって電源供給装置１０を制御し、主電源出力端Ｖｏ１が出力する電力の電圧値を高めたり、低めたりする。即ち、電源変換システムＰＳが作動状態で操作される場合、電力フィードバック制御モジュール１２は、主電源出力端Ｖｏ１が出力する電力の電圧値を監視し、前述の電圧値を所定の範囲内に維持させる。
【０００６】
しかし、電源変換システムＰＳが待機状態で操作される場合、待機電源出力端Ｖｏ２が出力する電力の電圧値をフィードバックすることができない。電源変換システムＰＳが待機状態で操作される上、電源変換システムＰＳの操作負荷が極めて僅かな場合、待機電源出力端Ｖｏ２が出力する電力は、電源変換システムＰＳを待機状態の下で使用するのに十分である。しかし、電源変換システムＰＳが待機状態で操作される上、電源変換システムＰＳが過負荷状態の場合（例えば、電源変換システムＰＳのマイクロプロセッサが待機状態の下で操作されたり、電源変換システムＰＳが電気的に接続された電子装置（携帯電話など）に電力を供給したりする場合）、待機電源出力端Ｖｏ２が出力する電力の電圧値が低くなるため、待機電源出力端Ｖｏ２が出力する電力は、電源変換システムＰＳが待機状態で操作されるのを維持するのに不足する虞がある。
【考案の概要】
【考案が解決しようとする課題】
【０００７】
本考案の目的は、電源供給装置の主電源出力端及び待機電源出力端が出力する電力を検出するために用いられる電力フィードバック装置を提供することにある。
【課題を解決するための手段】
【０００８】
上述の課題を解決するために、本考案は、電力フィードバック装置を提供するものである。本考案の電力フィードバック装置は、電源供給装置に電気的に接続される。電源供給装置は、電源供給モジュール、第１の誘導抵抗、第２の誘導抵抗、主電源出力端及び待機電源出力端を含む。主電源出力端及び待機電源出力端は、電源変換システムに電気的に接続される。電源供給モジュールは、第１の電源出力端及び第２の電源出力端を含む。第１の誘導抵抗は、第１の電源出力端及び主電源出力端に電気的に接続される。第２の誘導抵抗は、第２の電源出力端及び待機電源出力端に電気的に接続される。
【０００９】
電力フィードバック装置は、定電圧補償モジュール、補償及び制限モジュール、適応性電流重み付けモジュール及びコントローラを含む。定電圧補償モジュールは、主電源出力端に電気的に接続される。補償及び制限モジュールは、待機電源出力端、定電圧補償モジュール及び電源変換システムに電気的に接続される。適応性電流重み付けモジュールは、待機電源出力端、定電圧補償モジュール及び電源変換システムに電気的に接続される。コントローラは、定電圧補償モジュール及び電源供給装置に電気的に接続される。
【００１０】
電力フィードバック装置は、第１の分離ユニットを更に含む。第１の分離ユニットは、定電圧補償モジュールとコントローラとの間に設けられる。第１の分離ユニットは、信号発信端が定電圧補償モジュールに電気的に接続され、信号受信端がコントローラに電気的に接続される。
【００１１】
補償及び制限モジュールは、第１のコンパレータ、定電圧重み付けユニット及びスイッチ素子を含む。第１のコンパレータは、待機電源出力端に電気的に接続される。定電圧重み付けユニットは、第１のコンパレータに電気的に接続される。スイッチ素子は、定電圧補償モジュール、定電圧重み付けユニット及び電源変換システムに電気的に接続される。
【００１２】
適応性電流重み付けモジュールは、増幅器、切換素子及びインバータを含む。増幅器は、待機電源出力端及び第２の電源出力端に電気的に接続される。切換素子は、コンパレータ及び電子システムに電気的に接続される。インバータは、切換素子及び定電圧補償モジュールに電気的に接続される。
【００１３】
電力フィードバック装置は、待機電源検出モジュールを更に含む。待機電源検出モジュールは、待機電源出力端、定電圧補償モジュール、コントローラ及び電源変換システムに電気的に接続される。
【００１４】
待機電源検出モジュールは、第２のコンパレータ及び起動素子を含む。第２のコンパレータは、待機電源出力端に電気的に接続される。起動素子は、第２のコンパレータ、コントローラ及び電源変換システムに電気的に接続される。
【００１５】
電力フィードバック装置は、第２の分離ユニットを更に含む。第２の分離ユニットは、待機電源検出モジュールとコントローラとの間に設けられる。第２の分離ユニットは、信号発信端が待機電源検出モジュールの起動素子に電気的に接続され、信号受信端がコントローラに電気的に接続される。
【００１６】
電力フィードバック装置は、インバータ素子を更に含む。インバータ素子は、第２の分離ユニットとコントローラとの間に設けられ、第２の分離ユニットの信号受信端及びコントローラに電気的に接続される。
【考案の効果】
【００１７】
本考案においては、電源変換システムが作動状態で操作される場合、電源供給装置の主電源出力端及び待機電源出力端は、それぞれ電源変換システムに電力を出力する。定電圧補償モジュールは、主電源出力端が出力した電力の電圧値を検出し、電圧値をコントローラにフィードバックする。コントローラは、前述の電圧値に基づき、電源供給装置の操作頻度又は操作周期を制御することにより、主電源出力端が出力する電力の電圧値を変更する。具体的に述べると、コントローラは、直流／直流電源コンバータの操作頻度を制御することによって第１の電源出力端が出力する電力の電圧値を調整し、電源変換システムの操作を維持する。電源変換システムが待機状態で操作される場合、電源供給装置の主電源出力端は、電力を送るのを停止する。即ち、電源変換システムが待機状態で操作される場合、電源供給装置は、待機電源出力端のみを介して電源変換システムに電力を送ることにより、電源変換システムが待機状態で操作されるのに必要な電力を維持する。
【図面の簡単な説明】
【００１８】
【図１】従来の電源供給システムを示す回路図である。
【図２】本考案の電源供給システムを示す回路図である。
【図３】本考案の電源供給モジュールを示す回路図である。
【図４】本考案の電力フィードバック装置の操作工程を示すブロック図である。
【考案を実施するための形態】
【００１９】
本考案の目的、特徴及び効果を示す実施形態を図面に沿って詳細に説明する。
【００２０】
図２を参照する。図２は、本考案の電源供給システムを示す回路図である。電源供給システム３は、電源供給装置３０及び電力フィードバック装置３２を含む。電源供給装置３０は、電源供給モジュール３００、第１の誘導抵抗Ｒｓ１、第２の誘導抵抗Ｒｓ２、主電源出力端Ｖｏ１及び待機電源出力端Ｖｏ２を含む。電源供給モジュール３００は、第１の電源出力端Ｖｏ１’及び第２の電源出力端Ｖｏ２’を含む。第１の誘導抵抗Ｒｓ１は、第１の電源出力端Ｖｏ１’及び主電源出力端Ｖｏ１に電気的に接続される。第２の誘導抵抗Ｒｓ２は、第２の電源出力端Ｖｏ２’及び待機電源出力端Ｖｏ２に電気的に接続される。主電源出力端Ｖｏ１及び待機電源出力端Ｖｏ２は、電源変換システムＰＳに電気的に接続される。
【００２１】
電源変換システムＰＳが作動状態で操作される場合、電源供給装置３０は、主電源出力端Ｖｏ１を介して電源変換システムＰＳに電力を出力し、電源変換システムＰＳが作動状態で操作されるのに必要な電力を供給する。電源変換システムＰＳが待機状態で操作される場合、電源供給装置３０は、待機電源出力端Ｖｏ２を介して電源変換システムＰＳに電力を出力し、電源変換システムＰＳが待機状態で操作されるのに必要な電力を供給する。ここで、電源変換システムＰＳが作動状態で操作される場合、待機電源出力端Ｖｏ２も電力を出力することができる。
【００２２】
図３を参照する。図３は、本考案の電源供給モジュールを示す回路図である。電源供給モジュール３００は、電磁干渉フィルター３０２、整流器３０４及び直流／直流電源コンバータ３０６を含んでもよい。電磁干渉フィルター３０２は、外部の交流電源供給器ＡＣＰに電気的に接続される。整流器３０４は、電磁干渉フィルター３０２に電気的に接続される。直流／直流電源コンバータ３０６は、整流器３０４に電気的に接続される。電磁干渉フィルター３０２は、交流電源供給器ＡＣＰが出力する交流電力を受信する上、交流電力中に存在する電磁干渉成分を除去する。整流器３０４は、電磁干渉フィルター３０２を介して電磁干渉成分を除去した交流電力を直流電力に変換する。整流器３０４は、出力する電流量を下げるために用いられる力率改善（ｐｏｗｅｒ  ｆａｃｔｏｒ  ｃｏｒｒｅｃｔｉｏｎ）回路３０５を含んでもよい。直流／直流電源コンバータ３０６は、前述の第１の電源出力端Ｖｏ１’及び第２の電源出力端Ｖｏ２’を含む。直流／直流電源コンバータ３０６は、例えば、ＬＬＣ共振電源コンバータである（これに限定されない）。
【００２３】
図２に示すように、電力フィードバック装置３２は、定電圧補償モジュール３２０、補償及び制限モジュール３２２、適応性電流重み付けモジュール３２４、待機電源検出モジュール３２６、第１の分離ユニット３２８、第２の分離ユニット３３０及びコントローラ３３２を含む。
【００２４】
定電圧補償モジュール３２０は、主電源出力端Ｖｏ１及び第１の分離ユニット３２８に電気的に接続される。補償及び制限モジュール３２２は、待機電源出力端Ｖｏ２、定電圧補償モジュール３２０及び電源変換システムＰＳに電気的に接続される。適応性電流重み付けモジュール３２４は、待機電源出力端Ｖｏ２、第２の電源出力端Ｖｏ２’、定電圧補償モジュール３２０及び電源変換システムＰＳに電気的に接続される。待機電源検出器３２６は、待機電源出力端Ｖｏ２、第２の分離ユニット３３０及び電源変換システムＰＳに電気的に接続される。コントローラ３３２は、第１の分離ユニット３２８及び第２の分離ユニット３３０に電気的に接続される。
【００２５】
定電圧補償モジュール３２０は、主電源出力端Ｖｏ１が出力する電力の電圧値を検出するために用いられる上、主電源出力端Ｖｏ１が出力し、電源変換システムＰＳに伝達した電圧値が所定の電圧値より低い又は高い場合（即ち、主電源出力端Ｖｏ１が出力する電力の電圧値が所定の電圧値と等しくない場合）、第１の分離ユニット３２８の信号発信端Ｅ１に信号を送信させる。第１の分離ユニット３２８の信号受信端Ｒ１は、前述の信号を受信する上、前述の信号をコントローラ３３２に伝達する。コントローラ３３２は、電源供給装置３０の電源供給モジュール３００（図３参照）の操作頻度又は操作周期を制御し、主電源出力端Ｖｏ１が出力する電力の電圧値を高めたり、低めたりする。
【００２６】
定電圧補償モジュール３２０は、第１のインピーダンスＺ１、第２のインピーダンスＺ２、第３のインピーダンスＺ３、第４のインピーダンスＺ４及び増幅素子ＯＰを含む。第１のインピーダンスＺ１、第２のインピーダンスＺ２、第３のインピーダンスＺ３及び第４のインピーダンスＺ４は、電気抵抗、キャパシタ又はインダクタからなる。第１のインピーダンスＺ１は、増幅素子ＯＰの入力端に電気的に接続される。増幅素子ＯＰのもう１つの出力端には、参考電圧Ｖｒｅｆが入力される。第２のインピーダンスＺ２は、増幅素子ＯＰの出力端と、増幅素子ＯＰと第１のインピーダンスＺ１とが接続される入力端と、に電気的に接続される。第３のインピーダンスＺ３は、主電源出力端Ｖｏ１及び第１のインピーダンスＺ１に電気的に接続される。第４のインピーダンスＺ４は、一方の端部が第１のインピーダンスＺ１及び第３のインピーダンスＺ３に電気的に接続され、他方の端部がアース端に接続される。
【００２７】
補償及び制限モジュール３２２は、第１のコンパレータ３２２０、定電圧重み付けユニット３２２２及びスイッチ素子３２２４を含む。第１のコンパレータ３２２０の出力端は、待機電源出力端Ｖｏ２に電気的に接続される。第１のコンパレータ３２２０のもう１つの入力端には、第１の比較電圧Ｖｒｅｆ１が入力される。第１のコンパレータ３２２０の出力端は、定電圧重み付けユニット３２２２に電気的に接続される。第１のコンパレータ３２２０は、待機電源出力端Ｖｏ２が出力する電圧値と第１の比較電圧Ｖｒｅｆ１の電圧値とを比較し、比較結果を定電圧重み付けユニット３２２２に出力する。スイッチ素子３２２４は、定電圧重み付けユニット３２２２、定電圧補償モジュール３２０の第４のインピーダンスＺ４（第１のインピーダンスＺ１と第３のインピーダンスＺ３とが接続される端点）及び電源変換システムＰＳに電気的に接続され、電源変換システムＰＳが起動しているか否かに基づいてオン又はオフを行うことにより、主電源出力端Ｖｏ１が出力する電圧値を制限するか否かを決定する。
【００２８】
補償及び制限モジュール３２２は、定電圧補償モジュール３２０のフィードバックを制限するために用いられる。定電圧重み付けユニット３２２２は、定電圧補償モジュール３２０に固定電圧を供給し、定電圧補償モジュール３２０のフィードバック電圧値を制限することにより、電圧補償モジュール３２０が有する主電源出力端Ｖｏ１が出力する電力をコントローラ３３２にフィードバックする能力を失わせるために用いられる。
【００２９】
適応性電流重み付けモジュール３２４は、増幅器３２４０、切換素子３２４２及びインバータ３２４４を含む。増幅器３２４０の２つの入力端は、待機電源出力端Ｖｏ２及び第２の電源出力端Ｖｏ２’に電気的に接続される。切換素子３２４２は、コンパレータ３２４０の出力端及び電源変換システムＰＳに電気的に接続される。インバータ３２４４の入力端は、切換素子３２４２に電気的に接続される。インバータ３２４４の出力端は、定電圧補償モジュール３２０の増幅素子ＯＰと、第１のインピーダンスＺ１と第２のインピーダンスＺ２とが接続される入力端と、に電気的に接続される。
【００３０】
増幅器３２４０は、待機電源出力端Ｖｏ２及び第２の電源出力端Ｖｏ２’が出力する電力の電圧差値を比較し、電源変換システムＰＳが起動されたか否かに基づき、前述の電圧差値を増幅した後にインバータ３２４４を介して定電圧補償モジュール３２０に出力するか否かを決定する。電源変換システムＰＳが待機モードで操作される上、待機電源出力端Ｖｏ２及び第２の電源出力端Ｖｏ２’が出力する電力の電圧差値が所定差値より大きい場合、インバータ３２４４が信号を送信して定電圧補償モジュール３２０の増幅素子ＯＰの入力端のレベルを低めることにより、増幅素子ＯＰの出力端に信号を送信させ、第１の分離素子３２８を駆動させる。これにより、コントローラ３３２は、電源供給モジュール３００の操作頻度又は操作周期を調整し、電源供給モジュール３００の待機電源出力端Ｖｏ２が出力する電圧値を高める。
【００３１】
待機電源検出モジュール３２６は、第２のコンパレータ３２６０及び起動素子３２６２を含む。第２のコンパレータ３２６０の一方の出力端は、待機電源出力端Ｖｏ２に電気的に接続され、他方の出力端は、第２の比較電圧Ｖｒｅｆ２を出力する。起動素子３２６２は、第２のコンパレータ３２６０の出力端、電源変換システムＰＳ及び第２の分離素子３３０に電気的に接続される。起動素子３２６２は、電源変換システムＰＳが起動されたか否かに基づき、第２コンパレータ３２６０の比較結果を第２の分離素子３３０を介してコントローラ３３２に伝達するか否かを決定する。第２の分離素子３３０は、例えば、光カプラ（これに限定されない）であり、第２の分離素子３３０の信号発信端Ｅ２は、起動素子３２６２に電気的に接続される。第２の分離素子３３０の信号受信端Ｒ２は、インバータ素子３３４を介してコントローラ３３２に電気的に接続される。
【００３２】
図３を参照する。コントローラ３３２は、直流／直流電源コンバータ３０６に電気的に接続される。直流／直流電源コンバータ３０６は、整流器３０４を通過する直流電力を受信し、コントローラ３３２の制御に基づき、第１の電源出力端Ｖｏ１’及び第２の電源出力端Ｖｏ２が出力する電力の電圧値を変更する。
【００３３】
図２を参照する。実際の操作において、電源変換システムＰＳが作動状態で操作される場合、電源供給装置３０の主電源出力端Ｖｏ１及び待機電源出力端Ｖｏ２は、それぞれ電源変換システムＰＳに電力を出力する。定電圧補償モジュール３２０は、主電源出力端Ｖｏ１が出力した電力の電圧値を検出し、電圧値をコントローラ３３２にフィードバックする。コントローラ３３２は、前述の電圧値に基づき、電源供給装置３０の操作頻度又は操作周期を制御することにより、主電源出力端Ｖｏ１が出力する電力の電圧値を変更する。具体的に述べると、コントローラ３３２は、直流／直流電源コンバータ３０６（図３参照）の操作頻度を制御することによって第１の電源出力端Ｖｏ１’が出力する電力の電圧値を調整し、電源変換システムＰＳの操作を維持する。
【００３４】
電源変換システムＰＳが待機状態で操作される場合、電源供給装置３０の主電源出力端Ｖｏ１は、電力を送るのを停止する。即ち、電源変換システムＰＳが待機状態で操作される場合、電源供給装置３０は、待機電源出力端Ｖｏ２のみを介して電源変換システムＰＳに電力を送ることにより、電源変換システムＰＳが待機状態で操作されるのに必要な電力を維持する。これと同時に、電力フィードバック装置３２がバーストモード（ｂｕｒｓｔ  ｍｏｄｅ）での操作に入る。具体的に述べると、電源変換システムＰＳが待機状態で操作される場合、電力フィードバック装置３２は、バーストモードで操作される。
【００３５】
電力フィードバック装置３２がバーストモードで操作される上、待機電源検出モジュール３２６が待機電源出力端Ｖｏ２が出力する電圧が第１の所定値と等しいことを検出した場合、適応性電流重み付けモジュール３２４が待機電源出力端Ｖｏ２が出力する電流をコントローラ３３２にフィードバックする。即ち、電力フィードバック装置３２は、電流重み付け制御のフィードバックを実行する。
【００３６】
電力フィードバック装置３２がバーストモードで操作される上、待機電源検出モジュール３２６が待機電源出力端Ｖｏ２が出力する電圧が第２の所定値より小さいことを検出した場合、コントローラ３３２が電源供給装置３０の主電源出力端Ｖｏ１を高め、電源供給システム３がバーストモードで電源変換システムＰＳに電力を出力するのを離脱させる。即ち、待機電源検出モジュール３２６が待機電源出力端Ｖｏ２が出力する電圧値が第２の所定値より小さいことを検出すると、電力フィードバック装置３２がバーストモードで操作されるのを中止する。ここで、第２の所定値は、第１の所定値より小さい。
【００３７】
電力フィードバック装置３２がバーストモードで操作される上、待機電源検出モジュール３２６が待機電源出力端Ｖｏ２が出力する電圧が第１の所定値と第２の所定値との間に介在することを検出した場合、補償及び制限モジュール３２２が定電圧補償モジュール３２０に定電圧を供給することにより、定電圧補償モジュール３２０のフィードバック電圧値を制限し、定電圧補償モジュール３２０に定電圧制限モードに入らせ、主電源出力端Ｖｏ１が出力する電力をコントローラ３３２にフィードバックする能力を失われる。
【００３８】
図４を参照する。図４は、本考案の電力フィードバック装置の操作工程を示すブロック図である。先ず、電源変換システムＰＳが待機モードで操作されているか否かを検出する（ステップＳ４００）。電源変換システムＰＳが待機モードで操作されていない場合（即ち、電源変換システムＰＳが作動モードで操作されている場合）、電力フィードバック装置３２の定電圧補償モジュール３２０が主電源出力端Ｖｏ１が出力する電力の電圧値をコントローラ３３２にフィードバックする（図２参照）。コントローラ３３２は、前述の電圧値に基づき、電源供給装置３０の主電源出力端Ｖｏ１が出力する電力の電圧値を調整し、これにより、電源変換システムＰＳの安定操作を維持させる。即ち、電源変換システムＰＳが作動モードで操作される場合、電力フィードバック装置３２がバーストモードで操作されるのを停止する（ステップＳ４０２）。
【００３９】
電源変換システムＰＳが待機モードで操作される場合、電力フィードバック装置３２は、バーストモードに入る（ステップＳ４０４）。バーストモードは、以下のステップを含む。先ず、待機電源検出モジュール３０６が待機電源出力端Ｖｏ２が出力する電圧値が第１の所定値と等しいか否かを検出する（ステップＳ４０６）。
【００４０】
ステップＳ４０６の後、待機電源検出モジュール３０６が検出した待機電源出力端Ｖｏ２が出力する電圧値が第１の所定値と等しい場合、適応性電流重み付けモジュール３２４が電流重み付け制御のフィードバックを実行する（ステップＳ４０８）。
【００４１】
ステップＳ４０６の後、待機電源検出モジュール３０６が検出した待機電源出力端Ｖｏ２が出力する電圧値が第１の所定値と等しくない場合、待機電源出力端Ｖｏ２が出力する電力の電圧値が第２の所定値より小さいか否かを判断する（ステップＳ４１０）。第２の所定値は、第１の所定値より小さい。
【００４２】
ステップＳ４１０の後、待機電源出力端Ｖｏ２が出力する電力の電圧値が第２の所定値より小さい場合、電力フィードバック装置３２がバーストモードで操作されるのを停止する（スステッップＳ４０２）。
【００４３】
ステップＳ４１０の後、待機電源出力端Ｖｏ２が出力する電力の電圧値が第２の所定値より小さくない場合（即ち、待機電源出力端Ｖｏ２が出力する電力の電圧値が第１の所定値と第２の所定値との間に介在する場合）、補償及び制限モジュール３２２が定電圧補償モジュール３２０が第１の分離ユニット３２８を介してコントローラ３３２にフィードバックする電圧値を制限し、定電圧補償モジュール３２０に定電圧制限操作を行わせる（ステップＳ４１２）。
【００４４】
以上の説明は、本考案の好適な実施形態を示すものであり、本考案の実施範囲を限定するものではない。本考案の実用新案登録請求の範囲の同等効果である変更及び修飾は、何れも本考案の保護範囲に含まれる。
【符号の説明】
【００４５】
１        電源供給システム
１０      電源供給装置
１２      電力フィードバック制御モジュール
１２０    コントローラ
１２２    分離ユニット
１２４    電圧補償ユニット
３        電源供給システム
３０      電源供給装置
３００    電源供給モジュール
３０２    電磁干渉フィルター
３０４    整流器
３０５    力率改善回路
３０６    直流／直流電源コンバータ
３２      電力フィードバック装置
３２０    定電圧補償モジュール
３２２    補償及び制限モジュール
３２２０  第１のコンパレータ
３２２２  定電圧重み付けユニット
３２２４  スイッチ素子
３２４    適応性電流重み付けモジュール
３２４０  増幅器
３２４２  切換素子
３２４４  インバータ
３２６    待機電源検出モジュール
３２６０  第２のコンパレータ
３２６２  起動素子
３２８    第１の分離ユニット
３３０    第２の分離ユニット
３３２    コントローラ
３３４    インバータ素子
ＡＣＰ    交流電源供給器
Ｅ１      信号発信端
Ｅ２      信号発信端
ＯＰ      増幅素子
ＰＳ      電源変換システム
Ｓ４００?Ｓ４１２  電力フィードバックステップ
Ｒ１      信号受信端
Ｒ２      信号受信端
Ｒｓ１    第１の誘導抵抗
Ｒｓ２    第２の誘導抵抗
Ｖｒｅｆ  参考電圧
Ｖｒｅｆ１  第１の参考電圧
Ｖｒｅｆ２  第２の参考電圧
Ｖｏ１    主電源出力端
Ｖｏ１’  第１の電源出力端
Ｖｏ２    待機電源出力端
Ｖｏ２’  第２の電源出力端
Ｚ１      第１のインピーダンス
Ｚ２      第２のインピーダンス
Ｚ３      第３のインピーダンス
Ｚ４      第４のインピーダンス
【図１】
0003191617.tif 000003
【図２】
0003191617.tif 000004
【図３】
0003191617.tif 000005
【図４】
0003191617.tif 000006